【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
「身体となる有体の部分」を備えており、ユーザーが携帯することにより又は移動機構により、ユーザーと共に移動することができる、キャラクタを擬した形態物（以下「形態物」という）であって、
或る形態物キャラクタ（形態物とその外観部分に表現されているキャラクタとが一体化されて成るものをいう。）の名前もしくは画像を示す情報と、「或る形態物キャラクタが伝達主体となっており他の形態物キャラクタが伝達の相手方となっているメッセージ（この項において『メッセージ』とは、『或る形態物キャラクタから他の形態物キャラクタに伝達する、或る形態物キャラクタの思想、意思、もしくは感情を含んでいる情報』をいい、その出力形態は鳴き声でもよい。）の複数の候補、及び、対戦型ゲームの一つであるジャンケンゲームにおけるグー・チョキ・パーの情報などのような『形態物キャラクタの思想、意思、もしくは感情そのものは含んでいない事実情報』であって自ら（形態物キャラクタ）が他の形態物キャラクタに伝達する事実情報の複数の候補を含む、自らの内部の形態物キャラクタが伝達の主体となっており他の形態物の内部の他の形態物キャラクタが伝達の相手方となっている伝達情報であって、自らの内部の形態物キャラクタから他の形態物の内部の他の形態物キャラクタへのコミュニケーション（情報の伝達）のために使用される伝達情報の複数の候補」を、予め記録しておくための伝達情報記録手段と、
他の形態物キャラクタに伝達する又は伝達しようとする『事実情報』を、前記伝達情報記録手段に記録されている複数の候補の中から、ユーザーによる操作もしくは設定に基づいて、選択するための『事実情報』選択手段と、
「前記の自ら（形態物キャラクタ）の名前もしくは画像を示す情報と前記『事実情報』選択手段により選択された『事実情報』とを乗せた若しくは一体化した、電波もしくは赤外線」（前記「電波もしくは赤外線」は、名前もしくは画像を示す情報と『事実情報』とを一緒に乗せた若しくは一体化したものでもよいし、名前もしくは画像を示す情報と『事実情報』とを別々に乗せた若しくは一体化したものでもよい）を、それが近距離無線がカバーする範囲内の近傍に存在する他の形態物だけに直接に届くように、ユーザーによる事前の操作もしくは設定に基づいて、自動的に（「送信時におけるユーザーによる特別な操作」を介することなく）、近距離無線により発信するための電波等発信手段と、
他の形態物から発信された「前記他の形態物キャラクタの名前もしくは画像を示す情報と前記他の形態物キャラクタからの『事実情報』とを乗せた若しくは一体化した、電波もしくは赤外線」（前記「電波もしくは赤外線」は、名前もしくは画像を示す情報と『事実情報』とを一緒に乗せた若しくは一体化したものでもよいし、名前もしくは画像を示す情報と『事実情報』とを別々に乗せた若しくは一体化したものでもよい）を、近距離無線により直接に受信するための電波等受信手段と、
前記電波等受信手段が受信した電波等に基づいて取得した、前記他の形態物キャラクタの名前もしくは画像を示す情報、及び前記他の形態物キャラクタからの『事実情報』を、画面又は音声により出力するための出力手段と、
を備えたことを特徴とする、キャラクタを擬した形態物。
【請求項２】
「身体となる有体の部分」を備えており、ユーザーが携帯することにより又は移動機構により、ユーザーと共に移動することができる、キャラクタを擬した形態物（以下「形態物」という）であって、
或る形態物キャラクタ（形態物とその外観部分に表現されているキャラクタとが一体化されて成るものをいう。）の名前もしくは画像を示す情報と、「或る形態物キャラクタが伝達主体となっており他の形態物キャラクタが伝達の相手方となっているメッセージ（この項において『メッセージ』とは、『或る形態物キャラクタから他の形態物キャラクタに伝達する、或る形態物キャラクタの思想、意思、もしくは感情を含んでいる情報』をいい、その出力形態は鳴き声でもよい。）の複数の候補、及び、対戦型ゲームの一つであるジャンケンゲームにおけるグー・チョキ・パーの情報などのような『形態物キャラクタの思想、意思、もしくは感情そのものは含んでいない事実情報』であって自ら（形態物キャラクタ）が他の形態物キャラクタに伝達する事実情報の複数の候補を含む、自らの内部の形態物キャラクタが伝達の主体となっており他の形態物の内部の他の形態物キャラクタが伝達の相手方となっている伝達情報であって、自らの内部の形態物キャラクタから他の形態物の内部の他の形態物キャラクタへのコミュニケーション（情報の伝達）のために使用される伝達情報の複数の候補」を、予め記録しておくための伝達情報記録手段と、
他の形態物キャラクタに伝達する又は伝達しようとするメッセージなどの伝達情報を、前記伝達情報記録手段に記録されている複数の候補の中から、ユーザーによる操作もしくは設定に基づいて又は自動的に、選択するための伝達情報選択手段と、
「前記の自ら（形態物キャラクタ）の名前もしくは画像を示す情報と前記伝達情報選択手段により選択された伝達情報とを乗せた若しくは一体化した、電波もしくは赤外線」（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、それが近距離無線がカバーする範囲内の近傍に存在する他の形態物だけに直接に届くように、ユーザーによる事前の操作もしくは設定に基づいて、自動的に（「送信時におけるユーザーによる特別な操作」を介することなく）、近距離無線により発信するための電波等発信手段と、
他の形態物から発信された「前記他の形態物キャラクタの名前もしくは画像を示す情報と前記他の形態物キャラクタからの伝達情報とを乗せた若しくは一体化した、電波もしくは赤外線」（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、近距離無線により直接に受信するための電波等受信手段と、
前記電波等受信手段が受信した電波等に基づいて取得した、前記他の形態物キャラクタの名前もしくは画像を示す情報、及び前記他の形態物キャラクタからの『事実情報』を、画面又は音声により出力するための出力手段と、
を備えたことを特徴とする、キャラクタを擬した形態物。
【請求項３】
「身体となる有体の部分」を備えており、ユーザーが携帯することにより又は移動機構により、ユーザーと共に移動することができる、キャラクタを擬した形態物（以下「形態物」という）であって、
或る形態物キャラクタ（形態物とその外観部分に表現されているキャラクタとが一体化されて成るものをいう。）の名前もしくは画像を示す情報と、「或る形態物キャラクタが伝達主体となっており他の形態物キャラクタが伝達の相手方となっているメッセージ（この項において『メッセージ』とは、『或る形態物キャラクタから他の形態物キャラクタに伝達する、或る形態物キャラクタの思想、意思、もしくは感情を含んでいる情報』をいい、その出力形態は鳴き声でもよい。）の複数の候補、及び、対戦型ゲームの一つであるジャンケンゲームにおけるグー・チョキ・パーの情報などのような『形態物キャラクタの思想、意思、もしくは感情そのものは含んでいない事実情報』であって自ら（形態物キャラクタ）が他の形態物キャラクタに伝達する事実情報の複数の候補を含む、自らの内部の形態物キャラクタが伝達の主体となっており他の形態物の内部の他の形態物キャラクタが伝達の相手方となっている伝達情報であって、自らの内部の形態物キャラクタから他の形態物の内部の他の形態物キャラクタへのコミュニケーション（情報の伝達）のために使用される伝達情報の複数の候補」を、予め記録しておくための伝達情報記録手段と、
他の形態物キャラクタに伝達する又は伝達しようとするメッセージなどの伝達情報を、前記伝達情報記録手段に記録されている複数の候補の中から、ユーザーによる操作もしくは設定に基づいて又は自動的に、選択するための伝達情報選択手段と、
「前記の自ら（形態物キャラクタ）の名前もしくは画像を示す情報を乗せた若しくは一体化した電波もしくは赤外線」を、それが近距離無線がカバーする範囲内の近傍に存在する他の形態物だけに直接に届くように、ユーザーによる事前の操作もしくは設定に基づいて、自動的に（「送信時におけるユーザーによる特別な操作」を介することなく）、近距離無線により発信するための第１電波等発信手段と、
「前記伝達情報選択手段により選択された伝達情報を乗せた若しくは一体化した電波もしくは赤外線」（前記「電波もしくは赤外線」は、名前もしくは画像を示す情報と一緒に乗せた若しくは一体化したものでもよいし、名前もしくは画像を示す情報とは別々に乗せた若しくは一体化したものでもよい）を、前記第１電波等発信手段により発信された電波等と対応付けて、前記電波等と一緒に又は別々に、それが近距離無線がカバーする範囲内の近傍に存在する他の形態物に直接に届くように、ユーザーによる事前の操作もしくは設定に基づいて、自動的に（「送信時におけるユーザーによる特別な操作」を介することなく）、近距離無線により発信するための第２電波等発信手段（前記第１電波等発信手段と同一のハードウェアもしくはソフトウェアにより実現されるものでもよい）と、
他の形態物から発信された、前記他の形態物キャラクタの名前もしくは画像を示す情報と前記他の形態物キャラクタからの伝達情報とを乗せた若しくは一体化した電波もしくは赤外線（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、近距離無線により直接に受信するための電波等受信手段と、
前記電波等受信手段が受信した電波等に基づいて取得した、前記他の形態物キャラクタの名前もしくは画像を示す情報、及び前記他の形態物キャラクタからの伝達情報を、画面又は音声により出力するための出力手段と、
を備えたことを特徴とする、キャラクタを擬した形態物。
【請求項４】
請求項１から３までのいずれかにおいて、
前記発信される電波もしくは赤外線は、「前記名前もしくは画像を示す情報及び／又は前記伝達情報の伝達主体である形態物キャラクタもしくはその形態物の識別データと対応付けられた、前記名前もしくは画像を示す情報及び／又は前記伝達情報」を乗せた若しくは一体化したものであり、
他の形態物からの名前もしくは画像を示す情報と伝達情報と前記識別データとが前記電波等受信手段により受信された電波等から取得されたことに基づいて、「自ら（形態物キャラクタ）の名前もしくは画像を示す情報と自ら（形態物キャラクタ）を伝達主体とする伝達情報とを乗せた若しくは一体化した、電波もしくは赤外線」（前記「電波もしくは赤外線」は、名前もしくは画像を示す情報と伝達情報とを一緒に乗せた若しくは一体化したものでもよいし、名前もしくは画像を示す情報と伝達情報とを別々に乗せた若しくは一体化したものでもよい）を、それが近距離無線がカバーする範囲内の近傍に存在する前記識別データに対応する他の形態物だけに直接に届くように、ユーザーによる事前の操作もしくは設定に基づいて、自動的に（「送信時におけるユーザーによる特別な操作」を介することなく）、近距離無線により発信するための返信手段（前記発信手段と同一のハードウェアもしくはソフトウェアにより実現されるものでもよい）、
を備えたことを特徴とする、キャラクタを擬した形態物。
【請求項５】
ユーザーの外出時にユーザーと一緒に移動する(又はユーザーにより移動させられる）ことができ、「肉体として機能する部分」を備えたキャラクタを擬した形態物であって、
近傍のエリアにある他のキャラクタを擬した形態物に受信されるように、「キャラクタを擬した形態物から他のキャラクタを擬した形態物に向けての所定の挨拶信号」を、無線で送信するための挨拶信号送信手段と、
近傍のエリアにある他のキャラクタを擬した形態物から無線で送信された「他のキャラクタを擬した形態物からの所定の挨拶信号」を受信するための挨拶信号受信手段と、
を備えたことを特徴とするキャラクタを擬した形態物。
【手続補正２】
【補正対象書類名】明細書
【補正対象項目名】０００６
【補正方法】変更
【補正の内容】
【０００６】
本発明はこのような課題に着目してなされたものであって、たまたま近くに居合わせたユーザーたちに（特に、たまたま近くに居合わせた互いに知らないユーザーたちに）、互いのコミュニケーションを開始したり互いの交流を活発化するための「切っ掛け」を与えたり、前記コミュニケーションや交流の「仲立ち」となったりすることができる、キャラクタを擬した形態物を提供する、ことを目的とする。
【手続補正３】
【補正対象書類名】明細書
【補正対象項目名】０００８
【補正方法】変更
【補正の内容】
【０００８】
本願で特許を請求する部分は、本願の特許請求の範囲に記載された発明である。
【手続補正４】
【補正対象書類名】明細書
【補正対象項目名】００１０
【補正方法】変更
【補正の内容】
【００１０】
第１  本発明による効果
本発明においては、互いに近傍に存在する少なくとも２つのキャラクタを擬した形態物が、それぞれ、各形態物キャラクタの名前もしくは画像を示す情報とその形態物キャラクタが伝達の主体となっているメッセージ及び事実情報から成る伝達情報とを乗せた若しくは一体化した電波もくしは赤外線を、近距離無線でカバーする範囲内の近傍に存在する他の形態物だけに直接に届くように近距離無線により発信すると共に、各「他の形態物」から発信された前記電波等を直接に近距離無線により受信するという構成（技術的思想）を採用しているので、「ユーザーから見ると、互いに近傍に居る形態物キャラクタ同士が自然にコミュニケーション（情報の伝達）を開始し又は行っているかのような状態」が自動的に（ユーザーから見ると自然な形で）作出されるようになるため、このような「状態」が自動的に作出されることを通じて、たまたま近くに居合わせたユーザーたちに（特に、たまたま近くに居合わせた互いに知らないユーザーたちに）、互いのコミュニケーションを開始したり互いの交流を活発化するための「切っ掛け」を与えたり、前記コミュニケーションや交流を促進したりすることができる、ようになる。
以上のことを敷衍すると次のとおりである。本発明によれば、形態物（キャラクタを擬した形態物）のユーザー同士（特にそれまでは互いに知らないユーザー同士）が、形態物を「仲立ち・きっかけ」として、会話をしたり知り合いになることができるようになる。つまり、我々の日常生活では、「犬などの現実のペット」を「きっかけ」「仲立ち」として初対面の者同士が会話をしたり知り合いになることが多い。前記ではペットについて述べたが、ペットを介して知り合いになるのと同様に、子供同士を通じて知り合いになることも多い（幼児を公園に連れていって遊ばせている母親が、その公園にいた同じ年頃の幼児をもつ母親と知り合いになることは多い）。このように、本発明によれば、前記のペットや子供による「仲立ち」「きっかけ」の機能を、形態物が担うことができる。よって、本発明によれば、形態物に、新しい機能・役割（ユーザー同士のコミュニケーションの「仲立ち」をするという機能・役割）を付与し、形態物を「コミュニケーションのためのツール」として活用することができる。よって、本発明によれば、形態物の付加価値をより高め、形態物を「現実のペットなどの生物」（現実のペットなどの生物は、そのペットなどの所有者同士が、ペットなどを「きっかけ」に知り合いになったり会話をしたりして、ペットなどがユーザー同士の生身のコミュニケーションに寄与することが多い）により近づけること、ができる。
第２  本発明の実施形態による効果
また、本発明の実施形態による形態物においては、近傍のエリアにある他の形態物に受信されるように、「近所で行われるイベントに関するお知らせ情報、新しく発売される商品・サービスの広告情報、地方自治体からの市政に関するお知らせなどの広報情報、政治的・社会的・宗教的意見の広告情報などのような、所定の広告・広報情報」を無線で送信するための広告情報送信手段と、近傍のエリアにある他の形態物から無線で送信された前記広告情報を受信するための広告情報受信手段と付加するようにしてもよく、このようにしたときは、形態物を媒介として、口コミのように、近くに居る人たち、近くを通る人たちの間で、次々と広告・広報情報を伝えて行く「口コミ伝言板」「口コミ伝言ネットワーク」を形成できるようになる。